(57)【特許請求の範囲】
【請求項１】
コネクタハウジング内に、コネクタと相手コネクタとを嵌合した状態で収納したコネクタ取付構造であって、
前記コネクタがコネクタ支持体に保持された状態で前記コネクタハウジングに収納されると共に、前記コネクタ支持体を前記コネクタハウジングに対して引き出し可能とする引き出し手段を備え、
前記引き出し手段は、前記コネクタ支持体と前記コネクタハウジングの底部とに介在されたバネ部材であり、前記コネクタ支持体が前記引き出し手段により引き出し方向へ付勢され、
前記コネクタは、回動可能にレバーが支持され、且つ該レバーに前記相手コネクタ側を係止した状態で当該レバーを回動することにより前記相手コネクタが嵌合されるレバー嵌合式コネクタであり、
前記コネクタハウジングの内側面には、該コネクタハウジングの内側へ向けて突出するレバー検知用突起が突設され、
前記レバー検知用突起は、前記コネクタと前記相手コネクタとが半嵌合状態のときに前記レバーに当たり、且つ前記コネクタの挿入側から前記コネクタハウジングの内側に向けて傾斜するテーパ面を有し、
前記コネクタ支持体は、前記コネクタハウジングに収納された状態で前記レバー検知用突起に係止されることを特徴とするコネクタ取付構造。
【請求項２】
コネクタハウジング内に、コネクタと相手コネクタとを嵌合した状態で収納したコネクタ取付構造であって、
前記コネクタがコネクタ支持体に保持された状態で前記コネクタハウジングに収納されると共に、前記コネクタ支持体を前記コネクタハウジングに対して引き出し可能とする引き出し手段を備え、
前記コネクタは、回動可能にレバーが支持され、且つ該レバーに前記相手コネクタ側を係止した状態で当該レバーを回動することにより前記相手コネクタが嵌合されるレバー嵌合式コネクタであり、
前記コネクタハウジングの内側面には、該コネクタハウジングの内側へ向けて突出するレバー検知用突起が突設され、
前記レバー検知用突起は、前記コネクタと前記相手コネクタとが半嵌合状態のときに前記レバーに当たり、且つ前記コネクタの挿入側から前記コネクタハウジングの内側に向けて傾斜するテーパ面を有し、
前記コネクタ支持体は、前記コネクタハウジングに収納された状態で前記レバー検知用突起に係止されることを特徴とするコネクタ取付構造。
【発明の詳細な説明】
【０００１】
【発明の属する技術分野】
この発明はコネクタ取付構造に関し、さらに詳しくは、コネクタをコネクタハウジングに収納するコネクタ取付構造に関する。
【０００２】
【従来の技術】
従来、コネクタ取付構造としては、図７に示すようなコネクタハウジング１にコネクタを収納する構造がある。コネクタハウジング１には、フランジ部１Ａが周回して形成され、防水機能を有するグロメット２がカバープレート３で挟んで装着されている。そして、このグロメット２には、図８に示すように、ワイヤーハーネスＷ１が挿通され、コネクタハウジング１内のワイヤーハーネスＷ１の端末に雄型又は雌型のコネクタ４が取り付けられている。このようなコネクタハウジング１は、フランジ部１Ａで車体側パネル５の一側面に固定されている。また、車体側パネル５の他側からは、コネクタハウジング１内にワイヤーハーネスＷ２が導入され、ワイヤーハーネスＷ２の端末に設けられた雌型又は雄型のコネクタ６がコネクタ４と嵌合されている。
【０００３】
また、他のコネクタ取付構造としては、図９に示すようなものがある。図９において符号７はコネクタハウジングである。このコネクタハウジング７は、側面を周回するフランジ部７Ａを備え、内部に複数のコネクタ収納室８が区画・形成されている。また、各コネクタ収納室８内には、それぞれ多極タイプのレバー嵌合式コネクタ９が収納・固定されている。なお、レバー嵌合式コネクタ９は、相手コネクタとの嵌合操作を行うための嵌合用レバー１０を備えている。そして、各コネクタ収納室８には、図１０に示すように、嵌合用レバー１０の回動を許容するための、回動操作用空間１１が確保されている。なお、図１０は、図９のＢ−Ｂ断面図である。
【０００４】
また、コネクタハウジング内で嵌合するコネクタ同士の半嵌合状態を検知できるコネクタ取付構造として、特開平８−２５０２１４号公報記載に係るものが知られている。
【０００５】
【発明が解決しようとする課題】
しかしながら、上記したような多極タイプのコネクタをコネクタハウジング７に収納する場合では、コネクタ同士の嵌合作業を行うために指を入れる回動操作用空間１１を確保する必要があり、限られたスペースの中で多極タイプのコネクタを収納してもスペースを有効利用できないという問題点があった。また、レバー嵌合式コネクタ９の嵌合用レバー１０を回動させた場合に、確実に嵌合用レバー１０を回動を完了させた状態であるか、嵌合用レバー１０の回動が中途半端の状態であるかを検知することができないという問題点があった。
【０００６】
なお、上記した特開平８−２５０２１４号公報記載に係るコネクタ取付構造では、コネクタ同士の半嵌合状態を検知できるものの、コネクタ同士を嵌合させる作業空間がコネクタハウジング内に無いため、コネクタ同士の嵌合作業に熟練を要するという問題点があった。
【０００７】
そこで、本発明はコネクタ同士の嵌合作業性の向上と、コネクタ同士の嵌合状態を確実に検知することのできるコネクタ取付構造を提供することを目的としている。
【０００８】
【課題を解決するための手段】
請求項１記載の発明は、コネクタハウジング内に、コネクタと相手コネクタとを嵌合した状態で収納したコネクタ取付構造であって、前記コネクタがコネクタ支持体に保持された状態で前記コネクタハウジングに収納されると共に、前記コネクタ支持体を前記コネクタハウジングに対して引き出し可能とする引き出し手段を備え、前記引き出し手段は、前記コネクタ支持体と前記コネクタハウジングの底部とに介在されたバネ部材であり、前記コネクタ支持体が前記引き出し手段により引き出し方向へ付勢され、前記コネクタは、回動可能にレバーが支持され、且つ該レバーに前記相手コネクタ側を係止した状態で当該レバーを回動することにより前記相手コネクタが嵌合されるレバー嵌合式コネクタであり、前記コネクタハウジングの内側面には、該コネクタハウジングの内側へ向けて突出するレバー検知用突起が突設され、前記レバー検知用突起は、前記コネクタと前記相手コネクタとが半嵌合状態のときに前記レバーに当たり、且つ前記コネクタの挿入側から前記コネクタハウジングの内側に向けて傾斜するテーパ面を有し、前記コネクタ支持体は、前記コネクタハウジングに収納された状態で前記レバー検知用突起に係止されることを特徴としている。
【０００９】
このような構成の請求項１記載の発明では、コネクタをコネクタ支持体とともに引き出し手段により、コネクタハウジングから引き出した状態で、コネクタに相手コネクタを嵌合させることができる。このため、コネクタハウジング内でのコネクタ配置スペースが狭くても、引き出すことでコネクタ同士の嵌合作業を容易に行うことができる。
【００１０】
また、コネクタ支持体がバネ部材で付勢されてコネクタハウジングから突出された状態となるため、容易にコネクタと相手コネクタとを嵌合させることができる。また、バネ部材の反発力に抗してコネクタ支持体をコネクタハウジング内に収納することができる。
【００１１】
また、レバー嵌合式コネクタのようにレバー回動空間を要するコネクタであっても、相手コネクタとの嵌合操作はコネクタハウジングの外で行うことができるため、コネクタハウジングにレバー嵌合式コネクタを空間的に有効に収納することができる。
【００１２】
さらに、コネクタハウジングの内側面にレバー検知用突起が設けられているため、レバーが半嵌合状態に対応した状態にあるときに、コネクタ支持体をコネクタハウジング内に収納しようとしてもレバーがレバー検知用突起と当たることにより、半嵌合状態であることを検知することができる。このため、コネクタ同士の嵌合を確認することができ、信頼性の高いコネクタ取付構造を実現できる。また、コネクタ支持体がコネクタハウジング内に収納された状態でレバー検知用突起に係止されることにより、コネクタ支持体をコネクタハウジングに保持することができる。
【００１３】
また、請求項２記載の発明は、コネクタハウジング内に、コネクタと相手コネクタとを嵌合した状態で収納したコネクタ取付構造であって、前記コネクタがコネクタ支持体に保持された状態で前記コネクタハウジングに収納されると共に、前記コネクタ支持体を前記コネクタハウジングに対して引き出し可能とする引き出し手段を備え、前記コネクタは、回動可能にレバーが支持され、且つ該レバーに前記相手コネクタ側を係止した状態で当該レバーを回動することにより前記相手コネクタが嵌合されるレバー嵌合式コネクタであり、前記コネクタハウジングの内側面には、該コネクタハウジングの内側へ向けて突出するレバー検知用突起が突設され、前記レバー検知用突起は、前記コネクタと前記相手コネクタとが半嵌合状態のときに前記レバーに当たり、且つ前記コネクタの挿入側から前記コネクタハウジングの内側に向けて傾斜するテーパ面を有し、前記コネクタ支持体は、前記コネクタハウジングに収納された状態で前記レバー検知用突起に係止されることを特徴としている。
【００１４】
このような構成の請求項２記載の発明では、コネクタをコネクタ支持体とともに引き出し手段により、コネクタハウジングから引き出した状態で、コネクタに相手コネクタを嵌合させることができる。このため、コネクタハウジング内でのコネクタ配置スペースが狭くても、引き出すことでコネクタ同士の嵌合作業を容易に行うことができる。
【００１５】
また、レバー嵌合式コネクタのようにレバー回動空間を要するコネクタであっても、相手コネクタとの嵌合操作はコネクタハウジングの外で行うことができるため、コネクタハウジングにレバー嵌合式コネクタを空間的に有効に収納することができる。さらに、コネクタハウジングの内側面にレバー検知用突起が設けられているため、レバーが半嵌合状態に対応した状態にあるときに、コネクタ支持体をコネクタハウジング内に収納しようとしてもレバーがレバー検知用突起と当たることにより、半嵌合状態であることを検知することができる。このため、コネクタ同士の嵌合を確認することができ、信頼性の高いコネクタ取付構造を実現できる。
【００１７】
また、コネクタ支持体がコネクタハウジング内に収納された状態でレバー検知用突起に係止されることにより、コネクタ支持体をコネクタハウジングに保持することができる。
【００１８】
【発明の実施の形態】
以下、本発明に係るコネクタ取付構造の詳細を図面に示す実施形態に基づいて説明する。なお、図１は本実施形態のコネクタ取付構造を示す正面図、図２はコネクタハウジングの正面図、図３はコネクタボックスの正面図、図４は図１のＡ−Ａ断面におけるコネクタハウジングとコネクタボックスとを分解した状態を示す説明図、図５は図１のＡ−Ａ断面におけるレバー操作状態を示す説明図、図６は図１のＡ−Ａ断面図である。
【００１９】
本実施形態のコネクタ取付構造は、図１に示すように、コネクタハウジング２１内にコネクタボックス２２が収納され、コネクタボックス２２内に複数のレバー嵌合式コネクタ２３が収納されている。
【００２０】
コネクタハウジング２１は、図２に示すように、容器状のハウジング本体２４の周側面に沿って周回してパネル当接フランジ２５が外側に突出するように形成されている。また、ハウジング本体２４の一つの側壁２６の内側面には、コネクタハウジング２１の内側に向けて突出する突起２７、２７が形成されている。これらの突起２７は、レバー嵌合式コネクタ２３と図示しない相手コネクタとが半嵌合状態のときにレバーに当たり、且つレバー嵌合式コネクタ２３の挿入側からコネクタハウジング２１の内側に向けて傾斜するテーパ面２７Ａを有する。また、ハウジング本体２４の底板２８の内側面には、所定位置に複数のストッパ部２９が配置されている。さらに、側壁２６を挟む互いに対向する側壁３０、３１の対向内側面には、コネクタ支持体であるコネクタボックス２２を保持するための支持用突部３２、３３が内側へ向けて突設されている。
【００２１】
コネクタボックス２２は、図３に示すように、複数のコネクタ収納室３４を備えている。それぞれのコネクタ収納部３４には、レバー嵌合式コネクタ２３が一つずつ配置されている。コネクタ収納部３４は、図４〜図６に示すように、コネクタ支持壁３４Ａがコネクタ嵌合方向に突設されている。そして、コネクタ支持壁３４Ａには、レバー嵌合式コネクタ２３のコネクタ本体２３Ａの側部が固定されている。また、レバー嵌合式コネクタ２３に回動自在に支持されたレバー２３Ｂは、図示しない相手コネクタとの嵌合が完了した状態で、コネクタ収納部３４内に位置するように設定されている。すなわち、図４〜図６に示すように、レバー２３Ｂが矢印方向へ回動が完了したときに、レバー２３Ｂの先端がコネクタ収納部３４内に位置するように設定され、嵌合するコネクタ同士が半嵌合状態に対応するレバー２３Ｂの状態ではレバー２３Ｂの先端がコネクタ収納部３４の輪郭からはみ出るように設定されている。
【００２２】
また、コネクタボックス２２の底面には、図４〜図６に示すように、コネクタボックス２２をコネクタハウジング２１から引き出し可能にする引き出し手段としてのバネ部材３５が設けられ、バネ部材３５の端部にはコネクタボックス２２の底面に固定される取付板３６が設けられている。図５は、取付板３６をコネクタボックス２２の底面に設けられたストッパ部２９に固定した状態を示している。
【００２３】
なお、コネクタボックス２２内に収納・固定されたレバー嵌合式コネクタ２３に接続された電線は、コネクタボックス２２の下面側から導出されコネクタハウジング２１の側部もしくは底板２８を通って外側へ導出されている。
【００２４】
次に、本実施形態のコネクタ取付構造における作用・動作を説明する。本実施形態では、図５に示した状態において、レバー嵌合式コネクタ２３のコネクタ本体２３Ａに図示しない相手コネクタを組み付ける。その後、レバー嵌合式コネクタ２３のレバー２３Ｂを同図中二点鎖線で示す回転方向に回動させることにより、コネクタ同士は嵌合して電気的に接続される。
【００２５】
その後、コネクタボックス２２を、バネ部材３５の反発力に抗してコネクタハウジング２１内に収納し、支持用突部３２、３３及び突起２７の下に組み込む。この結果、コネクタボックス２２は、支持用突部３２、３３及び突起２７に阻まれてコネクタハウジング２１から外れることなく保持される。
【００２６】
なお、コネクタボックス２２をコネクタハウジング２１に収納する際に、コネクタボックス２２の縁部近傍に配置された所定のレバー嵌合式コネクタ２３と相手コネクタとが半嵌合状態である場合、レバー２３Ｂは図５中一点鎖線で示すように側方に突出した状態にある。このため、レバー２３Ｂの先端は、コネクタハウジング２１の内側に突設された突起２７のテーパ面２７Ａに係当する。このことにより、コネクタ同士が完全に嵌合していないことを検知することができる。
【００２７】
このように、本実施形態では、コネクタボックス２２のそれぞれのコネクタ収納部３４の空間にレバー２３Ｂを回動操作する空間を含める必要がないため、コネクタボックス２２全体をコンパクトにすることができる。これに伴って、コネクタハウジング２１も小型化することが可能となる。
【００２８】
また、本実施形態では、コネクタハウジング２１の内側に突起２７を設けたことにより、レバー嵌合式コネクタ２３と相手コネクタとが半嵌合状態にあるのを検知することができ、コネクタ同士の嵌合を確実に行える信頼性の高いコネクタ取付構造を得ることができる。
【００２９】
以上、実施形態について説明したが、本発明はこれに限定されるものではなく、構成の要旨に付随する各種の変更が可能である。例えば、上記した実施形態では、コネクタボックス２２にレバー嵌合式コネクタ２３を収納したが、回動レバーを有しない通常の構造のコネクタを配置する構成としてもよい。
【００３０】
また、上記した実施形態では、引き出し手段としてバネ部材３５を用いたが、例えばコネクタハウジング２１側にレール部材を設け、このレール部材に摺動する部材をコネクタ支持体としてのコネクタボックス２２に設ける構成としてもよい。
【００３１】
【発明の効果】
以上の説明から明らかなように、請求項１記載又は請求項２の発明によれば、コネクタハウジング内でのコネクタ配置スペースが狭くても、コネクタ支持体を引き出すことでコネクタ同士の嵌合作業を容易に行うことができる。このため、コネクタハウジングの省スペース化を図ることができる。
【００３２】
請求項１記載の発明によれば、コネクタ支持体がバネ部材で付勢されてコネクタハウジングから突出された状態となるため、容易にコネクタと相手コネクタとを嵌合させることができる。また、バネ部材の反発力に抗してコネクタ支持体をコネクタハウジング内に収納することができる。バネ部材の反発力が蓄積した状態で、コネクタ支持体をコネクタハウジングに支持することにより、コネクタ支持体のがたつきを防止する効果がある。
【００３３】
請求項１又は請求項２記載の発明によれば、レバー嵌合式コネクタのようにレバー回動空間を要するコネクタであっても、相手コネクタとの嵌合操作はコネクタハウジングの外で行うことができるため、コネクタハウジングにレバー嵌合式コネクタを空間的に有効に収納できるという効果がある。
【００３４】
請求項１又は請求項２記載の発明によれば、コネクタハウジングの内側面にレバー検知用突起が設けられているため、レバーが半嵌合状態に対応した状態にあるときに、コネクタ支持体をコネクタハウジング内に収納しようとしてもレバーがレバー検知用突起のテーパ面と当たることにより、半嵌合状態であることを検知することができる。このため、コネクタ同士の嵌合を確認することができ、信頼性の高いコネクタ取付構造を実現できる。
【００３５】
請求項１又は請求項２記載の発明によれば、コネクタ支持体がコネクタハウジング内に収納された状態でレバー検知用突起に係止されることにより、コネクタ支持体をコネクタハウジングに保持することができる。このため、レバー検知用突起により、コネクタ支持体の保持とレバーの半嵌合の検知を効率的に行えるという効果がある。
【図面の簡単な説明】
【図１】本発明に係るコネクタ取付構造の実施形態を示す平面図である。
【図２】実施形態に用いるコネクタハウジングの平面図である。
【図３】実施形態においてコネクタボックスにレバー嵌合式コネクタを取り付けた状態を示す平面図である。
【図４】図１のＡ−Ａ断面におけるコネクタハウジングとコネクタボックスとを分解した状態を示す説明図である。
【図５】図１のＡ−Ａ断面におけるレバー操作状態を示す断面説明図である。
【図６】図１のＡ−Ａ断面図である。
【図７】従来のコネクタハウジングの分解斜視図である。
【図８】従来のコネクタ取付構造を示す断面図である。
【図９】従来の他のコネクタ取付構造と示す断面図である。
【図１０】図９のＢ−Ｂ断面図である。
【符号の説明】
２１  コネクタハウジング
２２  コネクタボックス（コネクタ支持体）
２３  レバー嵌合式コネクタ（コネクタ）
２７  突起（レバー検知用突起）
２８  底板
３５  バネ部材
【図１】
0003857511.tif 000002
【図２】
0003857511.tif 000003
【図３】
0003857511.tif 000004
【図４】
0003857511.tif 000005
【図５】
0003857511.tif 000006
【図６】
0003857511.tif 000007
【図７】
0003857511.tif 000008
【図８】
0003857511.tif 000009
【図９】
0003857511.tif 000010
【図１０】
0003857511.tif 000011